(57)【要約】【課題】車のハンドルに簡単に取り付け取り外しができ、取付高さ調節ができ、折り畳んで収納できる安価で取り扱いの便利な折り畳みカーデスクを提供する。【解決手段】書立て部（１）の下部には台部（２）を、上部には乗せ板（３）を設け、書立て部（１）と台部（２）には鎖（４）と磁石（７）を設け、書立て部（１）の裏面には掛け棒（８）と支持材（９）を設けてなる折り畳みカーデスク。【選択図】図１
2011006043.tif 000002
【特許請求の範囲】
【請求項１】
書立て部（１）の下部には台部（２）を、上部には乗せ板（３）を設け、書立て部（１）と台部（２）には鎖（４）磁石（７）を設け、書立て部（１）の裏面には掛け棒（８）と支持材（９）を設けてなる折り畳みカーデスク。
【発明の詳細な説明】
【技術分野】
【０００１】  この発明は、車のハンドルに掛け、簡単に取り付け取り外しができ、書立て部と台部の角度の調節及び取り付け高さも調節できる折り畳みカーデスクである。
【背景技術】
【０００２】  従来、車のハンドルに掛けるデスクはあった、しかし書の読み書きが出来るだけの物であった。車内でパソコンを使用したり、弁当を置けるデスクが強く要望されていた。
本発明は、その要望を一気に解決したものである。
【発明の開示】
【発明が解決しようとする課題】
【０００３】  イ、車内で読書する場合、ハンドルの上や椅子の上に書を広げて読んだり書いたりしているが、非常に不便であった。
ロ、車内でパソコン作業や食事をする場合、平らな乗せ台がなかった。
本発明は以上の欠点を解決するためになされたものである。
【課題を解決するための手段】
【０００４】  書立て部（１）の下部には台部（２）を、上部には物を乗せることのできる乗せ板（３）を蝶番（５）にて取り付ける。
書立て部（１）と台部（２）は鎖（４）で接続し、台部（２）を支えるが、鎖（４）の長さを変えることで、書立て部（１）と台部（２）との角度を変えて台部（２）をほぼ水平に支持する。
台部（２）の左手前の角には鉄板（６）を設け、台部（２）を折り畳んだ時にこの鉄板（６）が重なる書立て部（１）の位置に磁石（７）を設ける。
同様に乗せ板（３）の左手前の角にも鉄板（６）を設け、乗せ板（３）を折り畳んだ時に磁石（６）が重なる書立て部（１）の位置に磁石（７）を設ける。鉄板（６）と磁石（７）との吸引力で折り畳み状態を保つ。
書立て部（１）の裏面には車のハンドルに引掛けるための掛け棒（８）を２箇所設け、それぞれ〔図２〕支持材（９）で支持する。
掛け棒（８）〔図２〕は車のハンドルに掛ける上部曲部（１１）と下部曲部（１２）からなり、下部曲部と上部曲部の曲がりは同じ方向に曲げるが上部曲部（１１）の曲がり幅はハンドルの太さより少し広くする。下部曲部（１２）の曲がり角はほぼ直角とし、長さは１センチメートル程度とする。
〔図３〕は支持材（９）左側の詳細図で、固定カバー（１２）とカバー（１３）からなり、それぞれには中間ストッパー穴（１５）を設けてなる。
カーデスクの位置が通常の場合は下部ストッパー（１４）の位置で掛け棒（８）の下部曲部（１２）が止まる〔図２〕の状態である。
カーデスクの位置を低くしたい場合は中間ストッパー穴（１５）の位置で掛け棒（８）の下部曲部（１２）が止まる状態としカーデスクの位置が調節できる。
本発明は、以上の構造からなり、車のハンドルに容易に引掛け、取り外しができ、折り畳みも簡単な折り畳みカーデスクである。
【発明の効果】
【０００５】    本発明を使用することによって
１．車のハンドルを利用して読み書きが容易にできる。
２．台がほぼ水平であり、パソコン使用、弁当等を乗せることができる。
３．上部の乗せ板に、小物や飲み物を乗せる事ができる。
４．取り付け、取り外しが容易で、折り畳みも簡単であり車のどこにでも収納できる。
５．取り付け高さが調節できる。
６．製作費も安価である。
【発明を実施するための最良の形態】
【０００６】  以下、本発明の実施例を述べる。
書立て部（１）の最下部には台部（２）を上部には物を乗せることのできる乗せ板（３）を折り畳みできるように蝶番（５）にてそれぞれ取り付ける。
書立て部（１）と台部（２）は鎖（４）で接続し台部（２）を支えるが、車によってハンドルの傾斜が異なるので鎖（４）の長さを変えることで、書立て部（１）と台部（２）との角度を変えて台部（２）をほぼ水平に支持する。
台部（２）の左手前の角には鉄板（６）を設け、台部（２）を折り畳んだ時にこの鉄板（６）が重なる書立て部（１）の位置に磁石（７）を設ける。
同様に乗せ板（３）の左手前の角にも鉄板（６）を設け、乗せ板（３）を折り畳んだ時に鉄板（６）が重なる書立て部（１）の位置に磁石（７）を設ける。
台部も乗せ板も折り畳んだ時、鉄板（６）と磁石（７）との吸引力で折り畳み状態を保つ。
書立て部（１）の裏面には車のハンドルに引掛けるための掛け棒（８）を左右２箇所設け、掛け棒（８）は〔図２〕支持材（９）で支持する。
掛け棒（８）〔図２〕は車のハンドルに掛ける上部曲部（１１）と下部曲部（１２）からなり、下部曲部は左側も右側も上部曲部と同じ方向に曲がってなる。
〔図３〕は支持材（９）の左側の詳細図で固定カバー（１２）とカバー（１３）からなる、市販のモールと同じ構造で、中間ストッパー穴（１５）は下部ストッパー（１４）より約５センチメートルの上の位置に右向きに開口している。
右側の支持材（９）の中間ストッパー穴（１５）は左向きに開口している。
デスクの高さが通常の場合は下部ストッパー（１４）の位  で掛け棒（８）の下部曲部（１２）が止まる〔図２〕の状態である。
デスクの位置を低くする場合は左右の掛け棒（８）を上げるが、先ず上部曲部１１）を書立て部（１）と平行に左右の掛け棒（８）を内側に折り畳む。当然下部曲部（１２）も内側に向いている。次にカバー（１３）をゆっくり取り外し掛け棒（８）を上へ、中間ストッパー穴（１５）に下部曲部（１２）が納まる位置まで移動する。次に支持材（９）のカバー（１３）を取り付ければよい。
掛け棒（８）は上がり、ハンドルに掛けるとデスクは低くなる。
尚、
イ．書立て部（１）台部（２）乗せ板（３）の材質はベニヤ板を使用するがベニヤ板の場合強度を持たせるため５ミリメートル厚程度とする。アクリル板、プラスチック板、金属板でもよい。
台部（２）乗せ板（３）の周囲には物が滑り落ちないようストッパーとして縁材を設けたら尚良い。
書立て部（１）の大きさは高さ３４センチメートル、幅３８センチメートル程度のハンドルが隠れる大きさが望ましい。
台部（２）の大きさは幅１８センチメートル、長さ３８センチメートル程度、乗せ板（３）の大きさは幅７センチメートル、長さ３８センチメートル程度とする。
ロ．鎖（４）の長さを変え台部（２）の角度を調節するが、その方法として既存の座椅子等に使用されているラチェット式角度調整器具や板の棒に調整用の長穴を設けて長さを調整でき、ネジで固定する器具を使用しても良い。
鎖（４）は左右２箇所設けてもよい。
ハ．掛け棒（８）の材質は本発明ではステンレスを使用したが、鉄、プラスチックでもよい、太さは３．５ミリメートルΦ、長さは普通乗用車を対象として直線部と曲がり部を含めて４０センチメートル程度が良い。
上部曲部（１１）の曲がり幅はハンドルの太さより少し広くする。
下部曲部（１２）の曲がり角はほぼ直角とし、長さは１センチメートル程度とする。
ニ．支持材（９）は金属、木材、プラスチック製パイプ等を使用してもよく、中間ストッパー穴（１５）は位置の微調整ができる様に数箇所設けてもよい。
本発明は、以上の構造からなり使用する時は
本発明を車のハンドルに取り付ける前に、先ず運転席を最後部までずらす、次に書立て部（１）の裏側に設けた左右の掛け棒（８）を書立て部（１）とほぼ直角にして車のハンドルに引掛け、折り畳んでいた台部（２）を開く、乗せ板（３）を使用する時は乗せ板（３）も開く、次に台部（２）をほぼ水平にするために車種によって少し異なるハンドルの傾斜に合わせて鎖（４）の長さを調整してボルトナットで取り付ける。鎖（４）の長さの調整は初回のみでよく以後必要ない。
デスクの高さを低くする場合は左右の掛け棒（８）を上げるが、先ず上部曲部（１１）を書立て部（１）と平行に左右の掛け棒（８）を内側に折り畳む。当然下部曲部（１２）も内側に向いている。次に支持材（９）のカバー（１３）をゆっくり取り外し掛け棒（８）を上へ、中間ストッパー穴（１５）に下部曲部（１２）が納まる位置まで移動する。次にカバー（１３）を取り付ければよい。
すると掛け棒（８）は上がり、ハンドルに掛けるとデスクは低くなる。
位置の調整は初回のみでよく以後必要ない。
新聞や書を読む場合は、書立て部（１）に立てかけて、書く場合は台部（２）に乗せて使用する、台部（２）はほぼ水平であり、パソコン使用や弁当等を置く台として使用できる。
乗せ板（３）の書立て部（１）との角度はほぼ直角で調整出来ないが、筆入れやジュース等乗せるには手前にずれ落ちない角度のため好都合である。
本発明を使用しない時は、台部（２）乗せ板（３）を書立て部（１）に折り畳むと取り付けた磁石（７）と鉄板（６）の吸引力で吸着して畳んだ状態が保たれる。その後本発明をハンドルから取り外し、掛け棒（８）を書立て部（１）に平行に折り畳み収納する。
【産業上の利用可能性】
【０００７】仕事で車を使用する人は、猛暑や厳寒時等、特に雨降り時には車内での読み書きやパソコン作業ができたり、食事をする時弁当を置く台が欲しいと思っている人は多勢いる。その願望を一気に解決したものである。
【図面の簡単な説明】
【０００８】
【図１】  本発明の使用状態を示す斜視図
【図２】  本発明の裏側の状態を示す斜視図
【図３】  本発明の支持材の詳細を示す斜視図
【図４】  本発明の折り畳んだ状態を示す斜視図
【符号の説明】
【０００９】        １．書立て部
２．台部
３．乗せ板
４．鎖
５．蝶番
６．鉄板
７．磁石
８．掛け棒
９．支持材
１０．上部曲部
１１．下部曲部
１２．固定カバー
１３．カバー
１４．下部ストッパー
１５．中間部ストッパー穴
【図１】
2011006043.tif 000003
【図２】
2011006043.tif 000004
【図３】
2011006043.tif 000005
【図４】
2011006043.tif 000006